(57)【要約】      （修正有）【課題】室外機の略全面を被うことができるとともに、手が掛け易くかつ十分な強度を有する、頑丈な把手部を備えたエアコン室外機の梱包構造を提供する。【解決手段】緩衝材および段ボール材として、室外機の天面側に被せられる第１緩衝材１１およびその外側を被うトレイ型の第１段ボール材１２と、室外機１の底面８側に被せられる第２緩衝材１３およびその外側を被うトレイ型の第２段ボール材１４と、室外機１の周囲面に被せられる第３段ボール材１５とを備え、第３段ボール材１５には、室外機の左右両側面を被う部分の上端中央部位に手掛け用切欠部１５Ａ，１５Ｂが設けられ、第１緩衝材１１の手掛け用切欠部１５Ａ，１５Ｂに対応する部位には、第１段ボール材１２により外側が被われた把手部１１Ｂ，１１Ｃが設けられている。【選択図】図２
2010116171.tif 000002
【特許請求の範囲】
【請求項１】
エアコン室外機の周囲を緩衝材および段ボール材によって被い、その外周をバンドで結束して梱包するエアコン室外機の梱包構造において、
前記緩衝材および段ボール材として、前記室外機の天面側に被せられる第１緩衝材およびその外側を被うトレイ型の第１段ボール材と、前記室外機の底面側に被せられる第２緩衝材およびその外側を被うトレイ型の第２段ボール材と、前記室外機の周囲面に被せられる第３段ボール材とを備え、
前記第３段ボール材には、前記室外機の左右両側面を被う部分の上端中央部位に手掛け用切欠部が設けられ、前記第１緩衝材の前記手掛け用切欠部に対応する部位には、前記第１段ボール材により外側が被われた把手部が設けられていることを特徴とするエアコン室外機の梱包構造。
【請求項２】
前記第３段ボール材は、前記室外機の周囲面の全てを被う筒状の段ボール材とされ、前記室外機の左右両側面を被う部分に対応した側面の上端中央部位に前記手掛け用切欠部が設けられていることを特徴とする請求項１に記載のエアコン室外機の梱包構造。
【請求項３】
前記第３段ボール材は、左右両端部がそれぞれ折り曲げられた２枚の段ボール材により構成され、該２枚の段ボール材が、それぞれ前記室外機の前面と左右両側面の一部および背面と左右両側面の一部に被せられたとき、左右両側面の中央部位に形成される隙間によって前記手掛け用切欠部が構成されていることを特徴とする請求項１に記載のエアコン室外機の梱包構造。
【請求項４】
前記把手部は、前記第１緩衝材の他の部位よりも肉厚が厚くされていることを特徴とする請求項１ないし３のいずれかに記載のエアコン室外機の梱包構造。
【請求項５】
前記把手部は、前記第１緩衝材の下面よりも下方に延ばされていることを特徴とする請求項１ないし４のいずれかに記載のエアコン室外機の梱包構造。
【発明の詳細な説明】
【技術分野】
【０００１】
本発明は、エアコン室外機を緩衝材および段ボール材を用いて梱包するエアコン室外機の梱包構造に関するものである。
【背景技術】
【０００２】
工場で生産されたエアコンの室外機は、周囲を緩衝材および段ボール材で被い、その外周をバンドで結束して梱包し、流通、運搬に供されている。こうしたエアコン室外機の梱包方式には、大別して、段ボール箱と緩衝材を用い、室外機をすっぽりと段ボール箱内に納め、その外周にバンド掛けして梱包する箱型方式と、緩衝材および段ボール材からなる上部蓋材および下部蓋材により室外機を上下からサンドイッチにし、周囲を必要に応じて段ボール材により被い、その外周にバンド掛けして梱包するサンドイッチ方式とがある。
【０００３】
箱型方式では、一般に段ボール箱の側面等に人力で運搬する時に使用する把手部を設けており、該把手部を持って室外機を運搬できるようにしている。一方、サンドイッチ方式では、特許文献１，２に示されるように、室外機の前面、背面あるいは左右両側面等の周囲面を段ボール材により適宜被った梱包構造としているが、室外機の周囲面を被う段ボール材に把手部を設けることは難しく、側面に把手部を設けることが困難なため、上部蓋材の適所を直接持ったり、バンドを持ったりして運搬しているのが実情である。
【０００４】
【特許文献１】実公昭６１−８９２５号公報
【特許文献２】特開平８−１３６００６号公報
【発明の開示】
【発明が解決しようとする課題】
【０００５】
箱型方式の場合、段ボールの使用量が多くなることから、資源的に望ましくなく、しかも把手部が段ボールのみにより構成されるため、運搬中に把手部が破れ、室外機を落としてしまうことが多々ある等の危険性が内在されているという問題があった。
また、サンドイッチ方式の場合、段ボールの使用量を削減することが可能な反面、室外機の周囲面を完全に被うことができないため、意匠面や稜部を十分に保護できない場合があるとともに、運搬時の便に供するための把手部が設けにくく、上部蓋材やバンドを直接持つことは、強度的には問題ないものの、持ち難さは否定しがたく、更にはバンドで傷を負う可能性も懸念される等の問題があった。
【０００６】
本発明は、このような事情に鑑みてなされたものであって、サンドイッチ方式の梱包構造で、室外機の略全面を被うことができるとともに、手が掛け易くかつ十分な強度を有する頑丈な把手部を備えたエアコン室外機の梱包構造を提供することを目的とする。
【課題を解決するための手段】
【０００７】
上記課題を解決するために、本発明のエアコン室外機の梱包構造は、以下の手段を採用する。
すなわち、本発明にかかるエアコン室外機の梱包構造は、エアコン室外機の周囲を緩衝材および段ボール材によって被い、その外周をバンドで結束して梱包するエアコン室外機の梱包構造において、前記緩衝材および段ボール材として、前記室外機の天面側に被せられる第１緩衝材およびその外側を被うトレイ型の第１段ボール材と、前記室外機の底面側に被せられる第２緩衝材およびその外側を被うトレイ型の第２段ボール材と、前記室外機の周囲面に被せられる第３段ボール材とを備え、前記第３段ボール材には、前記室外機の左右両側面を被う部分の上端中央部位に手掛け用切欠部が設けられ、前記第１緩衝材の前記手掛け用切欠部に対応する部位には、前記第１段ボール材により外側が被われた把手部が設けられていることを特徴とする。
【０００８】
本発明によれば、室外機の天面側に被せられる第１緩衝材およびその外側を被うトレイ型の第１段ボール材と、室外機の底面側に被せられる第２緩衝材およびその外側を被うトレイ型の第２段ボール材と、室外機の周囲面に被せられる第３段ボール材とを備え、第３段ボール材には、室外機の左右両側面を被う部分の上端中央部位に手掛け用切欠部が設けられ、第１緩衝材の前記手掛け用切欠部に対応する部位には、第１段ボール材により外側が被われた把手部が設けられているため、第１緩衝材および第１段ボール材と、第２緩衝材および第２段ボール材と、第３段ボール材とで室外機の略全周囲を被い、その外周をバンドで結束することによって、室外機の略全面を段ボール材で被って梱包することができる。従って、室外機の意匠面や稜部を含む略全面を段ボール材で被って十分に保護することができる。また、手掛け用切欠部により手が掛け易く、かつ第１緩衝材により第１段ボール材で外側が被われた頑丈な把手部を作ることができるため、運搬の際に把手部が壊れる心配がなく、該把手部を持つことで梱包状態での室外機運搬の容易化、安全化を図ることができる。
【０００９】
また、本発明のエアコン室外機の梱包構造は、上記のエアコン室外機の梱包構造において、前記第３段ボール材は、前記室外機の周囲面の全てを被う筒状の段ボール材とされ、前記室外機の左右両側面を被う部分に対応した側面の上端中央部位に前記手掛け用切欠部が設けられていることを特徴とする。
【００１０】
本発明によれば、第３段ボール材が、室外機の周囲面の全てを被う筒状の段ボール材とされ、室外機の左右両側面を被う部分に対応した側面の上端中央部位に手掛け用切欠部が設けられているため、筒状とされている第３段ボール材によって室外機の全ての周囲面を被って梱包することができ、従って、室外機の全面を段ボール材により被って完全に保護することができる。また、筒状の第３段ボール材の左右両側面に手掛け用切欠部が設けられ、容易に把手部に手が掛けられるようになっているため、梱包状態での室外機運搬の容易性を維持することができる。
【００１１】
さらに、本発明のエアコン室外機の梱包構造は、上記のエアコン室外機の梱包構造において、前記第３段ボール材は、左右両端部がそれぞれ折り曲げられた２枚の段ボール材により構成され、該２枚の段ボール材が、それぞれ前記室外機の前面と左右両側面の一部および背面と左右両側面の一部に被せられたとき、左右両側面の中央部位に形成される隙間によって前記手掛け用切欠部が構成されていることを特徴とする。
【００１２】
本発明によれば、第３段ボール材が、左右両端部がそれぞれ折り曲げられた２枚の段ボール材により構成され、該２枚の段ボール材が、それぞれ室外機の前面と左右両側面の一部および背面と左右両側面の一部に被せられたとき、左右両側面の中央部位に形成される隙間によって手掛け用切欠部が構成されているため、両端が折り曲げられた２枚の段ボール材によって室外機の左右両側面の一部を除く意匠面や稜部を含む略全ての周囲面を被って梱包することができ、従って、室外機の略全面を段ボール材により被って十分に保護することができる。また、２枚の段ボール材により左右両側面の中央部位に形成される隙間によって手掛け用切欠部が構成され、容易に把手部に手が掛けられるようになっているため、梱包状態での室外機運搬の容易性を維持することができる。
【００１３】
さらに、本発明のエアコン室外機の梱包構造は、上述のいずれかのエアコン室外機の梱包構造において、前記把手部は、前記第１緩衝材の他の部位よりも肉厚が厚くされていることを特徴とする。
【００１４】
本発明によれば、把手部が、第１緩衝材の他の部位よりも肉厚が厚くされているため、十分な強度を有する頑丈な把手部を形成することができる。従って、重量物である室外機の運搬に際し把手部が壊れるようなことはなく、該把手部を持って梱包状態の室外機を容易にかつ安全に運搬することができる。
【００１５】
さらに、本発明のエアコン室外機の梱包構造は、上述のいずれかのエアコン室外機の梱包構造において、前記把手部は、前記第１緩衝材の下面よりも下方に延ばされていることを特徴とする。
【００１６】
本発明によれば、把手部が、第１緩衝材の下面よりも下方に延ばされているため、人力による運搬時に把手部をより握り易くすることができ、従って、梱包状態での室外機の運搬の更なる容易化、安全化を図ることができる。
【発明の効果】
【００１７】
本発明によると、第１緩衝材および第１段ボール材と、第２緩衝材および第２段ボール材と、第３段ボール材とで室外機の略全周囲を被い、その外周をバンドで結束することによって、室外機の略全面を段ボール材で被って梱包することができるため、室外機の意匠面や稜部を含む略全面を段ボール材で被って十分に保護することができる。また、手掛け用切欠部により手が掛け易く、かつ第１緩衝材により第１段ボール材で外側が被われた頑丈な把手部を作ることができるため、運搬の際に把手部が壊れる心配もなく、該把手部を持つことで梱包状態での室外機運搬の容易化、安全化を図ることができる。
【発明を実施するための最良の形態】
【００１８】
以下に、本発明にかかる実施形態について、図面を参照して説明する。
［第１実施形態］
以下、本発明の第１実施形態について、図１ないし図４を用いて説明する。
図１には、被梱包物であるエアコン室外機の外観斜視図が示され、図２には、梱包用の緩衝材と段ボール材の梱包姿での分解斜視図が示され、図３には、その第１緩衝材を下方から見た斜視図が示され、さらに、図４には、梱包姿での全体斜視図が示されている。
エアコン室外機（室外機）１は、図１に示されるように、外形が横長直方形状のケーシング２を備えており、その前面３には、吹出しグリル４等の意匠が施され、また、背面５あるいは左側面６には、熱交換器に対する外気の吸い込みグリルが設けられている。さらに、ケーシング２の内部には、公知の如く熱交換器、送風機、圧縮機、四方切換弁等の各種弁、冷媒配管および制御ボックス等が収容設置されている。
【００１９】
エアコン室外機１は、工場で生産された後、緩衝材、段ボール材およびバンド等により梱包されて出荷され、流通に供されている。この室外機１の梱包に用いられる緩衝材および段ボール材として、図２に示されるように、室外機１の天面７側に被せられる第１緩衝材１１と、この第１緩衝材１１の外側を被うトレイ型の第１段ボール材１２と、室外機１の底面８側に被せられる第２緩衝材１３と、この第２緩衝材１３の外側を被うトレイ型の第２段ボール材１４と、室外機１の前面３、背面５、左側面６および右側面９等の周囲面に被せられる筒状の第３段ボール材１５とが使用されている。
【００２０】
第１緩衝材１１は、発泡スチロール材を長方形状に成形したものであり、図３に示されるように、下面側には、室外機１の天面７側の形状に合致されるように成形され、第１緩衝材１１を該天面７側に被せるための凹部１１Ａが設けられているとともに、左右両端部分には、肉厚が他の部分に比べて厚くされた把手部１１Ｂ，１１Ｃが設けられている。なお、第１緩衝材１１には、肉厚とされた部分に必要に応じて使用材料の量を削減するための肉盗み部１１Ｄを設けることができる。また、第１段ボール材１２は、第１緩衝材１１の上面および周囲面をすっぽりと被うように形成されたトレイ型の段ボール材であり、第１緩衝材１１の外側に被せられるように構成されている。
【００２１】
第２緩衝材１３は、発泡スチロール材を長方形状に成形したものであり、その上面側には、図２に示されるように、室外機１の底面８側の形状に合致されるように成形され、第２緩衝材１３を該底面８側に被せるための凹部１３Ａが設けられている。また、第２段ボール材１４は、第２緩衝材１３の下面および周囲面をすっぽりと被うように形成されたトレイ型の段ボール材であり、第２緩衝材１３の外側に被せられるように構成されている。
【００２２】
第３段ボール材１５は、前面、左右側面および背面の４面を有する長方形状断面の筒状段ボール材であり、室外機１の横長直方形状のケーシング２の外周にすっぽりと被せられる大きさおよび高さを有する構成とされている。この第３段ボール材１５には、左右両側面の上端中央部位に、第１緩衝材１１に設けられている把手部１１Ｂ，１１Ｃに対する手掛け用の切欠部１５Ａ，１５Ｂが設けられている。なお、手掛け用切欠部１５Ａ，１５Ｂの幅および高さは、４本の指が楽に入る程度の寸法でよく、例えば６〜８ｃｍ×２〜３ｃｍ程度あれば十分である。
【００２３】
上記した第１緩衝材１１、第１段ボール材１２、第２緩衝材１３、第２段ボール材１４および第３段ボール材１５は、図２および図４に示されるように、室外機１の外周面に被せられ、その外周を数ヶ所バンド１６で結束することによって、図４に示されるような梱包姿とされるように構成されている。
【００２４】
以上に説明の構成により、本実施形態によれば、以下の作用効果を奏する。
エアコン室外機１は、工場で生産され出荷される際、第１緩衝材１１、第１段ボール材１２、第２緩衝材１３、第２段ボール材１４、第３段ボール材１５およびバンド１６によって、図４に示されるような姿に梱包され、出荷される。この梱包姿によると、エアコン室外機１は、天面７側が第１緩衝材１１および第１段ボール材１２により被われ、また底面８側が第２緩衝材１３および第２段ボール材１４により被われ、さらに前面３、背面４および左右両側面６，９が第３段ボール材１５によって被われることになる。
【００２５】
このため、室外機１は、意匠面や稜部を含む全面が段ボール材で被われて梱包されることとなり、外周面を段ボール材によって完全に保護することができる。従って、流通あるいは運搬過程において、室外機１が他の物体に接触したり、石ころ等が飛散したりして損傷するのを防止することができる。
【００２６】
また、梱包状態において、第１段ボール材１２により外側が被われた第１緩衝材１１には、把手部１１Ｂ，１１Ｃが形成され、該把手部１１Ｂ，１１Ｃには、第３段ボール材１５の両側面の上端中央部位に設けられている手掛け用切欠部１５Ａ，１５Ｂを介して容易に手を掛けることができるため、該把手部１１Ｂ，１１Ｃを持って梱包状態の室外機１を容易に運搬することができる。しかも、この把手部１１Ｂ，１１Ｃは、第１段ボール材１２により外側が被われた第１緩衝材１１により形成されていることから、十分な強度を有し、運搬の際に把手部１１Ｂ，１１Ｃが壊れる心配がなく、該把手部１１Ｂ，１１Ｃを持つことで梱包状態での室外機運搬の容易化、安全化を図ることができる。
【００２７】
さらに、第１緩衝材１１に設けられている把手部１１Ｂ，１１Ｃは、他の部位よりも厚くされているため、必要かつ十分な強度を有する頑丈な把手部１１Ｂ，１１Ｃを形成することができる。従って、重量物である室外機１の運搬に際し把手部１１Ｂ，１１Ｃが壊れるようなことはなく、該把手部１１Ｂ，１１Ｃを持って梱包状態の室外機１を容易にかつ安全に運搬することができる。
【００２８】
［第２実施形態］
次に、本発明の第２実施形態について、図５を用いて説明する。
本実施形態は、上記した第１実施形態に対して、第１緩衝材１１に設けられる把手部２１Ｂ，２１Ｃの構成が異なっている。その他の点については、第１実施形態と同様であるので説明は省略する。
本実施形態では、図５（Ａ），（Ｂ）に示されるように、把手部２１Ｂ，２１Ｃの肉厚を他部位よりも厚くする以外に、把手部２１Ｂ，２１Ｃを握り易くするため、第１緩衝材１１の下面よりも把手部２１Ｂ，２１Ｃを下方に延ばした構成としている。
【００２９】
上記のように、把手部２１Ｂ，２１Ｃを第１緩衝材１１の下面よりも下方に延ばした構成とすることにより、人力による運搬時に把手部２１Ｂ，２１Ｃをより握り易くすることができる。従って、梱包状態での室外機１の運搬の更なる容易化、安全化を図ることができる。
【００３０】
［第３実施形態］
次に、本発明の第３実施形態について、図６を用いて説明する。
本実施形態は、上記した第１および第２実施形態に対して、第３段ボール材２５の構成が異なる。その他の点については、第１実施形態と同様であるので説明は省略する。
本実施形態では、図６（Ａ），（Ｂ）に示されるように、室外機１の前面３、背面５および左右両側面６，９に被せられる第３段ボール材２５を、２枚の段ボール材２５Ａ，２５Ｂに分割した構成としている。
【００３１】
そして、それぞれの段ボール材２５Ａ，２５Ｂを、左右両端部を折り曲げることによって、室外機１の前面３と左右両側面６，９の一部とを被う段ボール材２５Ａと、室外機１の背面５と左右両側面６，９の一部とを被う段ボール材２５Ｂとしている。また、各段ボール材２５Ａ，２５Ｂの左右両端の折り曲げ部は、室外機１に被せられたとき、両側面の中央部位に形成される隙間が、上記した手掛け用切欠部１５Ａ，１５Ｂに相当する手掛け用切欠部２５Ｃ，２５Ｄとされるように構成されている。
【００３２】
上記構成によると、両端が折り曲げられた２枚の段ボール材２５Ａ，２５Ｂにより室外機１の左右両側面６，９の一部を除く意匠面や稜部を含む略全ての周囲面を被って梱包することができるため、室外機１の略全面を段ボール材により被って十分に保護することができる。また、２枚の段ボール材２５Ａ，２５Ｂにより左右両側面の中央部位に形成される隙間によって手掛け用切欠部２５Ｃ，２５Ｄが構成され、この手掛け用切欠部２５Ｃ，２５Ｄを介して容易に把手部１１Ｂ，１１Ｃ，２１Ｂ，２１Ｃに手が掛けられるようになっているため、梱包状態での室外機運搬の容易性を維持することができる。
【００３３】
なお、本発明は、上記実施形態にかかる発明に限定されるものではなく、その要旨を逸脱しない範囲において、適宜変形が可能である。例えば、第１緩衝材１１に設けられている把手部１１Ｂ，１１Ｃおよび２１Ｂ，２１Ｃについては、より握り易くするため、様々なグリップ形状を採用することができる。また、第３段ボール材１５，２５に設けられる手掛け用切欠部１５Ａ，１５Ｂおよび２５Ｃ，２５Ｄについては、具体的寸法の一例を上記実施形態において説明したが、これに限定されるものでないことは言うまでもない。
【図面の簡単な説明】
【００３４】
【図１】本発明の第１実施形態に係るエアコン室外機梱包構造の被梱包物であるエアコン室外機の外観斜視図である。
【図２】図１に示すエアコン室外機の梱包構造に用いる緩衝材と段ボール材の梱包姿での分解斜視図である。
【図３】図２に示す第１緩衝材の下面側の斜視図である。
【図４】図２に示すエアコン室外機の梱包構造の梱包姿での全体斜視図である。
【図５】本発明の第２実施形態に係るエアコン室外機の梱包構造に用いる第１緩衝材の部分縦断面図（Ａ）とその斜視図（Ｂ）である。
【図６】本発明の第３実施形態に係るエアコン室外機の梱包構造に用いる第３段ボール材の斜視図（Ａ）とそれによる梱包姿での全体斜視図（Ｂ）である。
【符号の説明】
【００３５】
１  エアコン室外機（室外機）
３  前面
５  背面
６  左側面
７  天面
８  底面
９  右側面
１１  第１緩衝材
１１Ｂ，１１Ｃ，２１Ｂ，２１Ｃ  把手部
１２  第１段ボール材
１３  第２緩衝材
１４  第２段ボール材
１５，２５  第３段ボール材
１５Ａ，１５Ｂ，２５Ｃ，２５Ｄ  手掛け用切欠部
１６  バンド
２５Ａ，２５Ｂ  段ボール材
【図１】
2010116171.tif 000003
【図２】
2010116171.tif 000004
【図３】
2010116171.tif 000005
【図４】
2010116171.tif 000006
【図５】
2010116171.tif 000007
【図６】
2010116171.tif 000008